(57)【要約】【課題】出没式ボールペンが出没操作によりチップ先端部を突出させた状態で陳列ケースに戻された場合でも、インキの漏れ出しを抑制し、ボールペンチップの先端部が保護され、且つチップ内への空気の進入を防止するボールペン用陳列ケースを提供することである。【解決手段】本発明は、出没式ボールペン用陳列ケースにおいて、前記陳列ケース本体内の底面に、弾力性を有する敷部材を敷設するとともに、前記敷部材が、チップ本体の最大外形よりも小さく、前記チップ先端部の開口部外形よりも大きい開口部を有するセルを多数配置した、三次元網目構造からなるとともに、前記セルの壁面の幅が、前記チップ先端部の開口部外径よりも小さいことを特徴とする。【選択図】        図１
2010213912.tif 000002
【特許請求の範囲】
【請求項１】
チップ本体に、ボール抱持室の底壁の中央に形成したインキ流通孔と、該インキ流通孔から放射状に延びるインキ流通溝とを有し、前記底壁にボールを挿置し、チップ先端部を内側にかしめることにより、ボールの一部をチップ先端部より突出させて回転自在に抱持してなるボールペンチップを直接またはチップホルダーを介し、インキ収容筒の先端に装着してなるボールペンレフィルを、軸筒内に、コイルスプリングにより軸筒後端方向に付勢して摺動自在に配置し、前記ボールペンチップの先端部を軸筒先端開口部から出没可能な出没機構を有した出没式ボールペンを、陳列ケース本体内に、チップ先端部を下向きにした状態で陳列する出没式ボールペン用陳列ケースにおいて、前記陳列ケース本体内の底面に、弾力性を有する敷部材を敷設するとともに、前記敷部材が、チップ本体の最大外形よりも小さく、前記チップ先端部の開口部外形よりも大きい開口部を有するセルを多数配置した、三次元網目構造からなるとともに、前記セルの壁面の幅が、前記チップ先端部の開口部外径よりも小さいことを特徴とする出没式ボールペン用陳列ケース。
【請求項２】
前記敷部材が、高分子多孔質体であることを特徴とする請求項１に記載の出没式ボールペン用陳列ケース。
【請求項３】
前記敷部材の底面に、該敷部材よりも気孔率の低い、支持部材を積層したことを特徴とする請求項２に記載の出没式ボールペン用陳列ケース。
【発明の詳細な説明】
【技術分野】
【０００１】
本発明は、出没式ボールペンを、、ボールペンチップの先端部が下向きの状態、陳列する出没式ボールペン用陳列ケースに関する。
に関する。
【背景技術】
【０００２】
出没式ボールペンを、ボールペンチップの先端部が下向きの状態で、ランダムに挿入して陳列するための、箱形形状の陳列ケースがある。こうした陳列ケースでは、特開平１１−２１６０４７号「ノック式ボールペン用陳列ケース」に開示してあるように、出没式ボールペンのボールペンチップ側を陳列ケースの底部に向けて挿入することが一般的である。
【０００３】
ところで、陳列ケースに陳列されている出没式ボールペンは、使用者が、陳列ケースから出没式ボールペンを取り出し、試し書きやノック操作の確認等、前記出没式ボールペンを、同陳列ケースに戻すことがある。
【０００４】
この時、出没式ボールペンが、出没操作によりボールペンチップの先端部を突出させた状態で陳列ケースに戻された場合には、ボールペンチップのボールが、ボールペン用陳列ケースの底部に当接する。その結果、前記出没式ボールペンの自重をボールが受けてボール抱持室の底壁方向に移動するため、ボールとチップ先端部の内壁との間に隙間を生じ、その隙間からインキが垂れ下がり、外部に漏れ出る恐れがある。
【０００５】
また、陳列ケースへ戻された時に、ボールペン用陳列ケースの底部からの衝撃を受けて、ボールペンチップの先端部に打痕が付くという懸念もあった。
【０００６】
そのため、従来のボールペン用陳列ケースには、ケースの底部に緩衝用のスポンジを敷設したものがあるが、単にスポンジを敷設しただけでは、前記した出没式ボールペンの自重や衝撃によるインキの漏れ出しを完全に防止することは困難であった。
【０００７】
こうした問題を鑑みて、特開２００２−１１９３９４号「ボールペン用陳列具」では、ケース本体内の底面に、高い吸水性と弾力性とを有する敷部材を敷設して、前述したインキ漏れ及び衝撃を吸収することを開示している。
【先行技術文献】
【特許文献】
【０００８】
【特許文献１】「特開平１１−２１６０４７号公報」
【特許文献２】「特開２００２−１１９３９４号公報」
【発明の概要】
【発明が解決しようとする課題】
【０００９】
しかし、特許文献２では、高い吸水性と弾力性を有する敷部材を敷設することで、ケース本体の底面の汚れを抑制し、衝撃を吸収することはできるが、高い弾力性を有する敷部材が変形すると、チップ先端部の開口部を急激に閉鎖し、チップ先端部とシート状部材の間に存在する空気がチップ内に混入される、空気の呑み込み現象が発生する恐れがある。
【００１０】
本発明は、出没式ボールペンが出没操作によりチップ先端部を突出させた状態で陳列ケースに戻された場合でも、インキの漏れ出しを抑制し、ボールペンチップの先端部が保護され、且つチップ内への空気の進入を防止するボールペン用陳列ケースを提供することにある。
【課題を解決するための手段】
【００１１】
前記目的を達成するために本発明では、チップ本体に、ボール抱持室の底壁の中央に形成したインキ流通孔と、該インキ流通孔から放射状に延びるインキ流通溝とを有し、前記底壁にボールを挿置し、チップ先端部を内側にかしめることにより、ボールの一部をチップ先端部より突出させて回転自在に抱持してなるボールペンチップを直接またはチップホルダーを介し、インキ収容筒の先端に装着してなるボールペンレフィルを、軸筒内に、コイルスプリングにより軸筒後端方向に付勢して摺動自在に配置し、前記ボールペンチップの先端部を軸筒先端開口部から出没可能な出没機構を有した出没式ボールペンを、陳列ケース本体内に、チップ先端部を下向きにした状態で陳列する出没式ボールペン用陳列ケースにおいて、前記陳列ケース本体内の底面に、弾力性を有する敷部材を敷設するとともに、前記敷部材が、チップ本体の最大外形よりも小さく、前記チップ先端部の開口部外形よりも大きい開口部を有するセルを多数配置した、三次元網目構造からなるとともに、前記セルの壁面の幅が、前記チップ先端部の開口部外径よりも小さいことを特徴とする。
【００１２】
また、前記敷部材が、高分子多孔質体であることを特徴とする。
【００１３】
また、前記敷部材の底面に、該敷部材よりも気孔率の低い、支持部材を積層したことを特徴とする。
【発明の効果】
【００１４】
本発明は、出没式ボールペンが出没操作によりチップ先端部を突出させた状態で陳列ケースに戻された場合でも、インキの漏れ出しを抑制し、ボールペンチップの先端部が保護され、且つチップ内への空気の進入を防止するボールペン用陳列ケースを提供することができた。
【図面の簡単な説明】
【００１５】
【図１】実施例１における出没式ボールペン用陳列具に、出没式ボールペンを陳列した状態を示す縦断面図である。
【図２】実施例１における出没式ボールペンの縦断面図である。
【図３】実施例１の敷部材を上面から見た一部省略した拡大図である。
【図４】一つのセルの形態を示す、要部拡大縦断面図である。
【図５】実施例１における、ボールペンチップが敷部材に当接した状態を示す図である。
【発明を実施するための形態】
【００１６】
本発明の第一の特徴は、ケース本体内の底面に、弾力性を有する敷部材を敷設するとともに、この敷部材に、チップ本体の最大外径よりも小さく、チップ先端部の開口部外径よりも大きい開口部を有するセルを多数配置し、セルの壁面の幅を、チップ先端部の開口部外径よりも小さくすることである。
【００１７】
チップ本体の最大外径よりも小さく、チップ先端部の開口部外径よりも開口部を有するセルを多数配置することで、尖塔形のボールペンチップにおいては、チップ先端部の外壁に敷部材が当接し、首吊り状に当接して変形していく。その後、ボールが敷部材に当接しても、ボールが受ける出没式ボールペンの自重は分散されるために、ボールの移動を抑制することができる。
【００１８】
また、隣接するセル間に位置するセルの壁面の幅を、チップ先端部の開口部外径よりも小さくすることにより、出没式ボールペン用陳列ケースに陳列された時の衝撃や自重等によって、敷部材が変形しても、チップ先端部の開口部の全てを閉鎖することがなく、チップ先端部と敷部材の間に存在する空気のチップ本体内への進入を防止することができる。
【００１９】
尚、個々のセルの外形形状は、チップ本体の最大外径よりも小さく、前記チップ先端部の開口部外径よりも大きい開口部を有するセルであれば、円形であってよいし、チップ本体の最大外径よりも小さく、前記チップ先端部の開口直径よりも大きい径の内接円を有する多角形形状等、特に限定されるものではない。
【００２０】
本発明の第二の特徴は、敷部材として、前記したセルを有する三次元網目構造を用いることである。これは、敷部材を三次元網目構造とすることで、出没式ボールペン用陳列ケースに陳列された時の衝撃が大きい場合でも、三次元的に衝撃力や自重を分散、吸収することができるため、衝撃吸収性能が高く、仮にチップ先端部からインキが漏れ出しても、連通した穴に比べ、インキがケース本体の底面を汚し難くすることができるためである。さらに、出没式ボールペンを、敷部材に押し付けるような過度な力が加わった時には、連通した穴の場合には、穴を押し広げながら、チップ先端部がケース本体の底面に当接する恐れがあるが、三次元網目構造とすることで、チップ先端部がケース本体の底面に当接することを防止する効果もある。
【００２１】
また、セルの壁面の幅を、チップ先端部の開口部外径よりも小さくい三次元網目構造とすることによって、球体であるボールがセルの壁面に当接しても、変形していく過程等によって、ボールはセル内方向に移行し易く、前述した首吊り状とし易い効果を奏する。
【００２２】
本発明の敷部材は、その弾性力によって、ボールペンチップの先端部を突出させた状態で出没式ボールペン用陳列ケースに陳列された時に、その衝撃を吸収して、チップ先端部を保護することができれば、スポンジ、繊維、ゴム、エラストマー樹脂等、特に限定されるものではないが、出没式ボールペンの自重によって、素材及び／又は構造的に変形し、付加がなくなると、概略元の状態に復元可能な材料を用いる。衝撃吸収性、弾力性、耐インキ性等を鑑みて、敷部材には、高分子多孔質体を用いることが最も好ましい。
【００２３】
高分子多孔質体としては、エステル系ポリウレタン、エーテル系ポリウレタン等のポリウレタンフォームが例示でき、両者は、耐水性、耐油性等が相違するため、ボールペン用インキとして水性インキを用いる場合には、耐水性が良好なエーテル系ポリウレタン、ボールペン用インキとして油性インキを用いる場合には、耐油性が良好なエステル系ポリウレタンを用いる。尚、ポリウレタンフォームには、セル膜を有するものとセル膜を有してないものがあるが、膜を取り除く事により高い空孔率となり、前述した首つり状にした時のボールへの影響が小さく、衝撃吸収性も高まる効果も奏するため、セル膜を有していない高分子多孔質体を用いる
【実施例１】
【００２４】
以下、図面を参照して本発明の実施例を説明するが、本発明の出没式ボールペン用陳列ケースは実施例に限定されるものではない。尚、図面中、同じ部材、同じ部品については同じ番号を付してある。
【００２５】
図１〜図５に示す出没式ボールペン用陳列ケース１は、上方を開口した透明の有底状のケース本体２内の底面２ｂに、敷部材３を敷設してあり、上方開口部２ｂから複数の出没式ボールペン１１が敷部材３の上面に、ボールペンチップ１８の先端部側を下向きにした状態で、直立状に陳列されるように構成されている。
【００２６】
出没式ボールペン１１は、前軸１２と後軸１３を螺合して軸筒本体を構成し、後軸１３内に回転カム１４からなる出没機構を具備している。この出没機構は、従来から知られているもので、簡単に説明すると、後軸１３の後端部の内壁面に回転カム１４を前後に摺動案内し回転させるためのカム溝（図示せず）を形成し、このカム溝に、回転カム１４に形成した突起を係合して配設してある。回転カム１４の後端には、回転カムを摺動し回転を付与するためのカム部を先端に有したノック体１５を、後軸１３後端の開口部より外方に突出した状態に配設した構造である。
【００２７】
回転カム１４の前方には、ボールペンレフィル１７を弾発部材となるコイルスプリング１６により後軸１３の後端方向へ付勢して、摺動自在に配設してある。また、前軸１２の把持部にはグリップ部材１５を装着し、後軸１３にはクリップを一体に設けてある。
【００２８】
ボールペンレフィル１７は、チップ本体１９のボール抱持室の中央にインキ流通孔２０と該インキ流通孔２０に連通する放射状に延びた放射状溝２１を有し、底壁に設けたボールと略同形のボール座２２に、ボール２４を載置し、チップ先端部２３を内側にかしめることにより、ボール２４の一部がチップ先端部２３より突出するように回転自在に抱持したボールペンチップ１８を、チップホルダー２９を介して、インキ収容筒２８の先端部に装着し、内部に剪断減粘性を有する水性ボールペン用インキ２５及びインキ追従体２６を直詰めするとともに、インキ収容筒２８の後端部に尾栓２９を装着してある。また、ボール２４は、ボール２４の後方に配設したコイルスプリング２７によって、チップ先端部２３の内壁に押圧してある。
【００２９】
出没式ボールペン１１は、ノック体１５を押圧すると、回転カム１４がカム溝（図示せず）に沿って前進して、ノック体１５のカム部の作用により回転カム１４を回転して出没機構が作動し、回転カム１４の前方に配設したボールペンレフィル１７も連動して前進し、ボールペンチップ１８の先端部が前軸１２の先端開口部１２ａから突出を維持して使用することができる。
【００３０】
三次元網目構造の高分子多孔質体、具体的には、エーテル系ポリウレタンからなる、敷部材３には、チップ本体の最大外径Ａよりも小さく、チップ先端部２３の開口部外径Ｂよりも大きい開口部径Ｃを有するセル４を多数配置してあり、隣接するセル間に位置するセルの壁面５の幅Ｄは、チップ先端部２３の開口部外径Ｂよりも小さくしてある。また、敷部材３の厚さは、出没式ボールペン１１における前軸１２の先端開口部１２ａからのボールペンチップ１８の突出量よりも厚くしてある。
【００３１】
ボールペンチップ１８の先端部を突出させた状態で、出没式ボールペン１１が陳列されると、ボールペンチップ１８の先端部が敷部材３に当接するが、当接時の衝撃は、敷部材３が変形するために吸収される。この時、ボールペンチップ１８の外壁に敷部材３が当接し、首吊り状に変形していくため、ボール２４が受ける自重等を極めて小さくすることができ、ボール２４の移動を抑制することができる。
【００３２】
また、セルの壁面５の幅Ｄを、チップ先端部２３の開口部外径Ｂよりも小さくすることによって、球体であるボール２４がセルの壁面５に当接しても、壁面が撓み易いために、変形していく過程で、ボール２４はセル４の壁面５より内側方向に移行し、前述した首吊り状とすることができので、セル４の開口部に合わせて１本づつセットする必要がない。
【００３３】
さらに、敷部材３は、三次元網目構造としてあるため、衝撃吸収性能が高く、仮にチップ先端部２３からインキが漏れ出しても、インキがケース本体２の底面２ｂを汚し難い。
【００３４】
また、本発明の敷部材３は、三次元網目構造及びセルの壁面５の幅Ｄが、チップ先端部２３の開口部外径Ｂよりも小さいので、チップ先端部２３が完全に覆われないため、空気がチップ内に混入され難く、且つチップ先端部２３での空気の流れが阻害されることがないため、チップ先端部２３のインキが乾燥固化し易く、その後のインキ流出を抑制することができる。
【００３５】
本実施例では、敷部材３の下面に、敷部材３よりも気孔率の低い支持部材６を貼着した積層構造としている。これは、本発明の敷部材３は、チップ本体１９の最大外径Ａよりも小さく、前記チップ先端部２３の開口部外径Ｂよりも大きい開口部Ｃを有するセル４を多数配置し、セルの壁面５の幅Ｄが、前記チップ先端部２３の開口部外径Ｂよりも小さい三次元網目構造のため、気孔率が高く、ケース本体２内に敷設時に、変形しやすいが、敷部材３よりも気孔率の低い支持部材６を貼着することで、ケース本体２の底面２ａに敷部材３の敷設を容易にすることができる。尚、支持部材６の材質は、特に限定されるものではないが、通気性、弾力性、及び耐インキ性等を考慮すると、敷部材３と同種で、該敷部材３よりも気孔率が低い材料が、最も好適に用いることができる。
【００３６】
また、近年では、チップ先端部の保護やチップ先端部からのインク漏れ防止等、品質向上のために、流通段階においてチップ先端部に保護膜を取り付けたものがあるが、敷部材がチップ先端部の全体を覆うように陳列すると、陳列ケースから出没式ボールペンを取り出す時に、保護膜が外れてしまう恐れがあるが、敷部材の外形よりも小さい保護膜を取り付けることによって、保護膜の外れも防止することができる。
【００３７】
尚、本実施例では、便宜上、回転カムによる出没機構を具備しているが、回転繰り出し機構等、出没機構は、特に限定されるものではない。また、ボールペンチップ構造も特に限定されるものではないが、ボールの後方に配設したコイルスプリングによって、チップ先端部の内壁に押圧し、インキ垂れ下がりを抑制することが好ましい。
【産業上の利用可能性】
【００３８】
本発明のボールペンチップは、水性、油性、剪断減粘性を付与したインキ等、インキの種類に限定されることなく、出没式ボールペン陳列ケースとして広く利用できるものである。
【符号の説明】
【００３９】
１  出没式ボールペン用陳列ケース
２  ケース本体
２ａ  底面
３  敷部材
４  セル
５  壁面
６  支持部材
１１  出没式ボールペン
１８  ボールペンチップ
２３  チップ先端部
２４  ボール
Ａ  チップ本体の最大外径
Ｂ  チップ先端部の開口部外径
Ｃ  セルの開口部外径
Ｄ  セルの壁面の幅
【図１】
2010213912.tif 000003
【図２】
2010213912.tif 000004
【図３】
2010213912.tif 000005
【図４】
2010213912.tif 000006
【図５】
2010213912.tif 000007